(57)【特許請求の範囲】
【請求項１】
ハウジングのレンズ開口に透視可能なレンズを配設し、該ハウジング内に配光のための複数の反射面が複合されたマルチリフレクタにランプバルブを装着してなるヘッドランプユニットを配設した車両用ランプ装置において、上記ハウジング内を、上部のターンレンズ室と下部のヘッドレンズ室とに画成し、上記ヘッドレンズ室とは独立して設けられかつ該ヘッドレンズ室に連通するランプ開口を有するランプ室内に上記ヘッドランプユニットを上記ランプ開口に臨むように配置するとともに、該ランプ開口をハーフミラーにより覆い、上記ヘッドレンズ室にハーフミラーを透過したヘッドランプユニットからの光を上記レンズを介して外部に照射する反射板を配設し、上記反射板の配設により上記ヘッドレンズ室の後部に形成されたターンランプ室内にターンランプユニットを配設し、該ターンランプユニットからの光を上記ターンレンズ室に配設された反射板で反射させて上記レンズを透して外部に照射することを特徴とする車両用ランプ装置。
【発明の詳細な説明】
【０００１】
【発明の属する技術分野】
本発明は、例えばマルチリフレクタランプを備えた車両用ランプ装置に関する。
【０００２】
【従来の技術】
例えば、自動車のヘッドランプ装置では、見栄えの向上を図る観点から、マルチリフレクタヘッドランプを備える場合がある。このマルチリフレクタヘッドランプは、図３に示すように、表面に配光のためのカットを有しない透明なレンズ４０をハウジング４１のレンズ開口４１ａに配設し、複数の反射面が複合されたマルチリフレクタ４２をハウジング４１の底部に配設するとともに、該リフレクタ４２にヘッドランプバルブ４３を装着した概略構造のものである。
【０００３】
上記ヘッドランプ装置によれば、外部からレンズ４０を透してマルチリフレクタ４２やヘッドランプバルブ４３，またターンランプバルブ４４等の収納物が見えることから、従来のレンズカットを施したレンズでランプ等を隠す場合に比べて新規性を向上できる。
【０００４】
【発明が解決しようとする課題】
ところで、上記従来のランプ装置では、外部からレンズを透してランプ機能が見えることから、ランプらしくは見えるものの、見慣れてしまえばデザイン的な見栄えは不思議でも何でもなく、需要の喚起を図るうえで新たな工夫が要請されている。
【０００５】
本発明は、このような状況に鑑みてなされたもので、不思議な外観を演出することにより見栄えの向上を図ることができる新規な構造からなる車両用ランプ装置を提供することを目的としている。
【０００６】
【課題を解決するための手段】
本発明は、ハウジングのレンズ開口に透視可能なレンズを配設し、該ハウジング内に配光のための複数の反射面が複合されたマルチリフレクタにランプバルブを装着してなるランプユニットを配設した車両用ランプ装置において、上記ハウジング内を、上記レンズに面するレンズ室と、該レンズ室とは独立して設けられかつレンズ室に連通するランプ開口を有するランプ室とに画成し、該ランプ室内に上記ランプユニットを上記ランプ開口に臨むように配置するとともに、該ランプ開口をハーフミラーにより覆い、上記レンズ室にハーフミラーを透過したランプユニットからの光を上記レンズを介して外部に照射する反射板を配設したことを特徴としている。
【０００７】
【課題を解決するための手段】
本発明は、ハウジングのレンズ開口に透視可能なレンズを配設し、該ハウジング内に配光のための複数の反射面が複合されたマルチリフレクタにランプバルブを装着してなるヘッドランプユニットを配設した車両用ランプ装置において、上記ハウジング内を、上部のターンレンズ室と下部のヘッドレンズ室とに画成し、上記ヘッドレンズ室とは独立して設けられかつ該ヘッドレンズ室に連通するランプ開口を有するランプ室内に上記ヘッドランプユニットを上記ランプ開口に臨むように配置するとともに、該ランプ開口をハーフミラーにより覆い、上記ヘッドレンズ室にハーフミラーを透過したヘッドランプユニットからの光を上記レンズを介して外部に照射する反射板を配設し、上記反射板の配設により上記ヘッドレンズ室の後部に形成されたターンランプ室内にターンランプユニットを配設し、該ターンランプユニットからの光を上記ターンレンズ室に配設された反射板で反射させて上記レンズを透して外部に照射することを特徴としている。
【０００８】
【発明の作用効果】
本発明に係るランプ装置によれば、ハウジング内をレンズに面するレンズ室と、これとは独立して設けられかつレンズ室に連通するランプ開口を有するランプ室とに画成し、該ランプ室にランプユニットを配置するとともにランプ開口をハーフミラーで覆ったので、外部からレンズを透して見るとランプらしき外形状をなし、しかも奥行きもありながらランプユニットが見えないという外観を有することとなり、デザイン的に不思議な見栄えを演出することができ、ひいては需要の喚起を図ることが可能となる。
【０００９】
また本発明では、レンズ室内に配設した反射板により、上記ハーフミラーを透過したランプユニットの光をレンズを透過して外部に照射するので、ランプユニットが点灯したときには車両前方を照射することとなり、ランプとしての機能を発揮することができる。また上記反射板の配設により形成されたターンランプ室内にターンランプユニットを配設したので、ランプ装置全体をコンパクトにできる。
【００１０】
【発明の実施の形態】
以下、本発明の実施の形態を添付図面に基づいて説明する。
図１及び図２は、本発明の一実施形態による車両用ランプ装置を説明するための図であり、図１はヘッドランプ装置の断面側面図（図２のＩ−Ｉ線断面図）、図２はヘッドランプ装置が配設された自動車の斜視図である。
【００１１】
図において、１は自動車用ヘッドランプ装置であり、これは車体２の前端部の左, 右側部に配設され、ボンネット２ａ，フロントフェンダパネル２ｂ，フロントバンパ２ｃにより囲まれている。
【００１２】
上記ヘッドランプ装置１は、車体２に取付け固定されたハウジング３の前面にレンズ開口３ｇを形成し、該レンズ開口３ｇにレンズ４を配設するとともに、上記ハウジング３内にヘッドランプユニット６及びターンランプユニット７を配設して構成されている。
【００１３】
上記レンズ４は略無色透明のものであり、外部からレンズ４を透してハウジング３内が見えるようになっている。上記ハウジング３のレンズ開口３ｇの周縁には係合溝３ｈが形成されており、該係合溝３ｈに上記レンズ４の外周縁に形成された突起部４ａがシール部材５を介在させて気密に固着されている。
【００１４】
上記ハウジング３内はエクステンション８の隔壁８ｃにより上部のターンレンズ室Ａと下部のヘッドレンズ室Ｂとに画成されており、この各レンズ室Ａ，Ｂはレンズ４に面するように形成されている。
【００１５】
上記ヘッドレンズ室Ｂの下方にはヘッドランプ室Ｂ１が独立して形成されており、該ヘッドランプ室Ｂ１とヘッドレンズ室Ｂとはエクステンション８の底壁８ａにより画成されている。このヘッドランプ室Ｂ１はハウジング３の底壁部３ａを下方に膨出させて形成されたものであり、該底壁部３ａと上記底壁８ａとで閉塞されている。なお、３ｆはバルブ装着用孔である。
【００１６】
上記エクステンション８の底壁８ａの後部にはヘッドレンズ室Ｂとヘッドランプ室Ｂ１とを連通するヘッドランプ開口８ｂが形成されており、このヘッドランプ室Ｂ１内に上記ヘッドランプユニット６がヘッドランプ開口８ｂに臨むように配置されている。
【００１７】
上記ヘッドランプユニット６は、配光のための複数の反射面が複合形成された略碗状のマルチリフレクタ１０の底部１０ａにソケット１１を固定し、該ソケット１１にヘッドランプバルブ１２を着脱可能に装着して構成されている。このソケット１１には不図示のバッテリが接続されるリード端子１１ａが接続されている。また上記ヘッドランプバルブ１２には乱反射を防止するシェード１３が該ランプバルブ１２を囲むように配設され、該シェード１３はマルチリフレクタ１０にねじ止め固定されている。
【００１８】
上記ヘッドランプ開口８ｂにはハーフミラー１５が該開口８ｂを覆うように配設されており、該ハーフミラー１５は上記ハウジング３の後縦壁３ｂに形成された係合凹部３ｃに係合支持されている。このハーフミラー１５は、ヘッドランプバルブ１２からの光は透過し、レンズ４を透して入射した外部の光は反射する機能を有しており、例えば樹脂シートの一主面にクロムやアルミ等の蒸着層を形成するとともに、該蒸着層に保護膜を被覆した半透鏡からなるものである。
【００１９】
上記ヘッドレンズ室Ｂ内には反射板（鏡）１６が配設されている。この反射板１６はハーフミラー１５を透過したヘッドランプユニット６からの光を反射させて上記レンズ４を透して外部に照射するよう傾斜させて配置されており、該反射板１６は上記エクステンション８の両レンズ室Ａ，Ｂを画成する隔壁８ｃの縁部に係合支持されている。
【００２０】
上記ヘッドレンズ室Ｂの反射板１６の裏側にはターンランプ室Ａ１が形成されている。このターンランプ室Ａ１は、上記反射板１６，ハウジング３の後縦壁３ｂ，及びエクステンション８の上記隔壁８ｃにより囲まれており、上記ターンレンズ室Ａの下方に独立して形成されている。
【００２１】
上記隔壁８ｃの後部にはターンレンズ室Ａとターンランプ室Ａ１とを連通するターンランプ開口８ｄが形成されており、このターンランプ室Ａ１内に上記ターンランプユニット７がヘッドランプ開口８ｄに臨むように配置されている。
【００２２】
上記ターンランプユニット７は、配光のための複数の反射面が複合形成された略碗状のマルチリフレクタ１８の底部１８ａにソケット１９を固定し、該ソケット１９にターンランプバルブ２０を着脱可能に装着して構成されている。
【００２３】
上記ターンランプ開口８ｄには上述のハーフミラー１５と同様の機能を有するハーフミラー２１が該開口８ｄを覆うように配設されており、該ハーフミラー２１は上記ハウジング３の後縦壁３ｂに形成された係合凹部３ｄに係合支持されている。なお、３ｅはバルブ装着用孔である。
【００２４】
上記ターンレンズ室Ａ内には反射板２２が配設されている。この反射板２２は、ハーフミラー２１を透過したターンランプユニット７からの光を反射させて上記レンズ４を透して外部に照射するよう傾斜させて配設されており、上記エクステンション８の上壁８ｅに係合支持されている。
【００２５】
次に本実施形態の作用効果について説明する。
本実施形態のヘッドランプ装置１によれば、ハウジング３内をエクステンション８によりターンレンズ室Ａとヘッドレンズ室Ｂとに区分けし、エクステンション８の底壁８ａにより上記ヘッドレンズ室Ｂとヘッドランプ室Ｂ１とに画成するとともに、該底壁８ａの後部にランプ開口８ｂを形成し、該ヘッドランプ室Ｂ１内にランプ開口８ｂを臨むようにヘッドランプユニット６を配設し、上記ランプ開口８ｂをハーフミラー１５で覆ったので、車両の外側からヘッドランプ装置１を見るとランプらしき外形状をなし、しかもヘッドレンズ室Ｂの奥行きもありながら、レンズ４を透してヘッドランプユニット６が見えないという外観を有する。これによりデザイン的に全く新規で、かつ不思議な見栄えを演出することができ、ひいては需要の喚起を図ることが可能となる。
【００２６】
また本実施形態では、上記ヘッドレンズ室Ｂ内に反射板１６を配設し、該反射板１６により上記ハーフミラー１５を透過したヘッドランプユニット６からの光（図１の→印ａ参照）をレンズ４を透過して外部に照射するので、ランプユニット６が点灯したときには車両前方を照射することとなり、ヘッドランプとしての機能を発揮することができる。
【００２７】
本実施形態では、上記反射板１６によりヘッドレンズ室Ｂの後部にターンランプ室Ａ１を上記ターンレンズ室Ａとは独立して形成し、該ターンランプ室Ａ１にターンランプユニット７を配置するとともに、上記隔壁８ｃのランプ開口８ｄにハーフミラー２１を配設したので、上記レンズ４を透してターンランプユニット７が見えないという外観を有し、上記同様に不思議な見栄えを演出することができる。またターンランプユニット７からの光は反射板２２によりレンズ４を透過して外部に照射されるので、ターンランプとしての機能を発揮できる。
【００２８】
また、本実施形態では、ヘッドレンズ室Ｂの下方にヘッドランプユニット６が配置されるヘッドランプ室Ｂ１を設けるとともに、ターンレンズ室Ａの下方にターンランプユニット７が配置されるターンランプ室Ａ１を設けたので、各レンズ室Ａ，Ｂの奥行きを確保しながら、装置全体の前後方向寸法を小さくすることができ、コンパクトに構成できる。
【００２９】
さらに上記反射板１６により形成されたヘッドレンズ室Ｂの後部の空間を有効利用してターンランプ室Ａ１を設けたので、この点からも装置全体をコンパクトにできる。
【００３０】
なお、上記実施形態では、ターンレンズ室Ａ，ヘッドレンズ室Ｂの下方にそれぞれターンランプ室Ａ１，ヘッドランプ室Ｂ１を設けた場合を説明したが、本発明のランプ装置は、ランプ室をレンズ室の上方に設けてもよく、あるいはレンズ室の側方に設けてもよい。
【００３２】
さらに本発明のランプ装置は、ヘッドランプに限られるものではなく、リヤランプにも適用可能である。
【図面の簡単な説明】
【図１】本発明の一実施形態によるヘッドランプ装置の断面側面図（図２のＩ−Ｉ線断面図）である。
【図２】上記ヘッドランプ装置が配設された自動車の斜視図である。
【図３】従来の一般的なランプ装置の断面側面である。
【符号の説明】
１              ヘッドランプ装置
３              ハウジング
３ｇ            レンズ開口
４              レンズ
６              ヘッドランプユニット
７              ターンランプユニット
８ｂ，８ｄ      ランプ開口
１０，１８      マルチリフレクタ
１２，２０      ランプバルブ
１５，２１      ハーフミラー
１６，２２      反射板
Ａ，Ｂ          レンズ室
Ａ１，Ｂ１      ランプ室
【図１】
0003664927.tif 000002
【図２】
0003664927.tif 000003
【図３】
0003664927.tif 000004